(57)【要約】【課題】店頭で折畳状態から容易に組み立てることができ、安定した組立状態で商品を陳列できるＰＯＰトレイを提供する。【解決手段】底壁１１に前壁１２及び正面表示部１４を順次連設し、底壁１１に側壁２１を連設し、側壁２１の前部に側面表示部２３を設ける。底壁１１と側壁２１の下端とを底側片２７を介して繋ぎ、底壁１１と底側片２７の境界に底壁１１の斜め方向に延びる谷折線２８を入れる。正面表示部１４の側縁を底壁１１の側縁より外側へ張り出させ、側面表示部２３の根元部分に切欠部２４を形成し、切欠部２４の後縁と前壁１２とを繋ぐ。折畳状態から組み立てると、底壁１１に対して前壁１２及び側壁２１が起立し、正面表示部１４の側端部が反発により切欠部２４の前縁に係合して、正面表示部１４が所定の角度に保持され、側面表示部２３が正面表示部１４より前方へ突出した状態となる。【選択図】図１
2017189422.tif 000002
【特許請求の範囲】
【請求項１】
底壁(11)の前端に前壁(12)及び正面表示部(14)が順次連設され、前記底壁(11)の側方に側壁(21)が連設され、前記側壁(21)の前部に側面表示部(23)が設けられており、
前記底壁(11)と前記側壁(21)の下端とは、底側片(27)を介して繋がれ、前記底壁(11)と前記底側片(27)の境界には、前記底壁(11)の前側角から斜め後方内側へ延びる谷折線(28)が入れられ、
前記正面表示部(14)の側縁は、前記底壁(11)の側縁より外側へ張り出し、前記側壁(21)の側面表示部(23)の根元部分には、下端から切欠部(24)が形成され、前記切欠部(24)の後縁と前壁(12)とは繋がれ、
折畳状態では、前記谷折線(28)に沿った折り曲げに伴い、前記底壁(11)の裏面側に前記側壁(21)が折り曲げられて、前記底側片(27)が前記底壁(11)と前記側壁(21)の間に挟まれると共に、前記底壁(11)の表面側に前記前壁(12)が重なり、
組立状態では、前記底壁(11)に対して前記前壁(12)及び前記側壁(21)が起立し、前記前壁(12)の上端から下方へ折り曲げられた前記正面表示部(14)の側端部が反発により前記側壁(21)の切欠部(24)の前縁に係合し、前記側面表示部(23)が前記正面表示部(14)より前方へ突出した状態となることを特徴とするＰＯＰトレイ。
【請求項２】
前記底壁(11)、前壁(12)及び正面表示部(14)を備えた主部材(1)と、前記側壁(21)及び底側片(27)を備えた側部材(2)とから成り、
前記側部材(2)には、前記底側片(27)の斜め方向に延びる端辺に前記谷折線(28)を介して底継片(29)が連設され、前記底継片(27)が前記底壁(11)の裏面に貼り付けられ、
組立状態では、前記底壁(11)が前記底側片(27)で受け止められることを特徴とする請求項１に記載のＰＯＰトレイ。
【請求項３】
前記底壁(11)の側縁後部に係合突起(11a)が設けられると共に、前記側壁(21)の下端部に係合穴(21a)が形成され、
組立状態では、前記係合突起(11a)が前記係合穴(21a)に嵌まり込んで、前記底壁(11)が水平となり、前記側壁(21)が直立した状態で固定されることを特徴とする請求項２に記載のＰＯＰトレイ。
【発明の詳細な説明】
【技術分野】
【０００１】
この発明は、商品を載せた状態で店頭の棚に置き、商品についての宣伝や価格を表示するＰＯＰトレイに関するものである。
【背景技術】
【０００２】
従来、図５に示すようなＰＯＰトレイが提案されている（下記特許文献１の段落［００１０］−［００１４］、図１３参照）。このＰＯＰトレイでは、底壁５１に前壁５２、頂部５３及び正面表示部５４が順次連設され、正面表示部５４の一側に差込突起５５が設けられている。底壁５１の一側前部には連結片５６が連設され、底壁５１の他側には、全長にわたって側壁５７が連設されている。
【０００３】
連結片５６の前縁には前継片５８が設けられ、側壁５７の前部は、側面表示部５９とされている。連結片５６には、前下角から斜め上後方へ延びる谷折線５６ａが入れられ、側面表示部５９には、スリット状の差込穴５９ａが形成されている。正面表示部５４及び側面表示部５９には、商品についての宣伝や価格が印刷されている。
【０００４】
上記ＰＯＰトレイの組み立てに際しては、底壁５１から前壁５２及び連結片５６を起立させ、前継片５８を前壁５２に貼り付け、正面表示部５４を斜前下方へ折り曲げ、底壁５１から側壁５７を起立させて、差込突起５５を差込穴５９ａに差し込む。これにより、前壁５２、連結片５６及び側壁５７の起立状態が維持されると共に、正面表示部５４の角度が維持され、側面表示部５９が正面表示部５４より前方へ突出した状態となる。
【０００５】
そして、店頭で使用する際、棚Ｓの前部に設けられたバーＢが頂部５３の下方に納まるように棚Ｓの上に置くと、正面表示部５４と側面表示部５９の印刷により訴求効果が期待でき、ＰＯＰトレイの前後方向の移動がバーＢにより阻止され、底壁５１に載せた商品Ｇの整列状態が側壁５７により維持されると共に、他の商品の割り込みも防止される。
【０００６】
また、このＰＯＰトレイは、差込突起５５の差込穴５９ａへの差し込みに先立ち、連結片５６を谷折線５６ａに沿って折り曲げておくことにより、偏平に折り畳むことができるので、嵩張らない状態で保管しておくことができる。
【先行技術文献】
【特許文献】
【０００７】
【特許文献１】特開２０００−２９６０３６号公報
【発明の概要】
【発明が解決しようとする課題】
【０００８】
しかしながら、上記ＰＯＰトレイでは、組み立てに際し、前壁５２及び連結片５６と側壁５７とをそれぞれ起立させ、差込突起５５をスリット状の差込穴５９ａに差し込まなければならず、商品の陳列作業に手間取ることがある。
【０００９】
また、組立状態で差込突起５５が差込穴５９ａから不意に抜けると、連結片５６が谷折線５６ａに沿って折れ曲がり、前壁５２及び側壁５７の起立状態が維持できなくなるという問題がある。
【００１０】
そこで、この発明は、店頭で折畳状態から容易に組み立てることができ、安定した組立状態で商品を陳列できるＰＯＰトレイを提供しようとするものである。
【課題を解決するための手段】
【００１１】
上記課題を解決するため、この発明に係るＰＯＰトレイは、底壁の前端に前壁及び正面表示部が順次連設され、前記底壁の側方に側壁が連設され、前記側壁の前部に側面表示部が設けられており、
前記底壁と前記側壁の下端とは、底側片を介して繋がれ、前記底壁と前記底側片の境界には、前記底壁の前側角から斜め後方内側へ延びる谷折線が入れられ、
前記正面表示部の側縁は、前記底壁の側縁より外側へ張り出し、前記側壁の側面表示部の根元部分には、下端から切欠部が形成され、前記切欠部の後縁と前壁とは繋がれ、
折畳状態では、前記谷折線に沿った折り曲げに伴い、前記底壁の裏面側に前記側壁が折曲げられて、前記底側片が前記底壁と前記側壁の間に挟まれると共に、前記底壁の表面側に前記前壁が重なり、
組立状態では、前記底壁に対して前記前壁及び前記側壁が起立し、前記前壁の上端から下方へ折り曲げられた前記正面表示部の側端部が反発により前記側壁の切欠部の前縁に係合し、前記側面表示部が前記正面表示部より前方へ突出するものとしたのである。
【００１２】
また、前記底壁、前壁及び正面表示部を備えた主部材と、前記側壁及び底側片を備えた側部材とから成り、
前記側部材には、前記底側片の斜め方向に延びる端辺に前記谷折線を介して底継片が連設され、前記底継片が前記底壁の裏面に貼り付けられ、
組立状態では、前記底壁が前記底側片で受け止められるものとしたのである。
【００１３】
さらに、前記底壁の側縁後部に係合突起が設けられると共に、前記側壁の下端部に係合穴が形成され、
組立状態では、前記係合突起が前記係合穴に嵌まり込んで、前記底壁が水平となり、前記側壁が直立した状態で固定されるものとしたのである。
【発明の効果】
【００１４】
この発明に係るＰＯＰトレイでは、折畳状態から谷折線に沿った折り曲げを伸ばすように側壁を広げると、底壁に対して側壁と前壁とが同時に立ち上がり、その起立状態が維持される。そして、正面表示部を撓ませつつ、前壁の上端から下方へ折り曲げるだけで、正面表示部が反発により側壁の切欠部に係合して所定の角度に保持され、側面表示部の存在も相俟って、安定した組立状態で高い訴求効果を得ることができる。
【図面の簡単な説明】
【００１５】
【図１】この発明の実施形態に係るＰＯＰトレイの組立状態を示す図
【図２】同上の折畳状態を示す斜視図
【図３】同上の組立過程を示す斜視図
【図４】同上のブランクを示す斜視図
【図５】特許文献１に記載のＰＯＰトレイの組立状態を示す斜視図
【発明を実施するための形態】
【００１６】
以下、この発明の実施の形態を添付図面に基づいて説明する。
【００１７】
このＰＯＰトレイは、図１に示す組立形状で使用される板紙製のものであり、図４にブランクで示すような主部材１と左右対称の側部材２から構成される。
【００１８】
主部材１のブランクでは、底壁１１に前壁１２、頂部１３及び正面表示部１４が順次連設され、正面表示部１４の両側縁は、底壁１１の両側縁より外側へ張り出し、頂部１３の両側縁は、前壁１２と正面表示部１４の両側縁に対して傾斜している。底壁１１と前壁１２の境界は、押罫と切目とが交互に断続するリード罫とされ、頂部１３と前壁１２及び正面表示部１４の境界は、押罫とされている。
【００１９】
底壁１１の両側縁後部には、係合突起１１ａが突設され、底壁１１及び前壁１２の両側部分には、側部材２の貼付時に位置決めの目印となる切目が刻設されている。
【００２０】
また、左右の側部材２のブランクでは、それぞれ側壁２１を構成する一対の側板２２が前部の押罫を介して繋がり、側板２２の前寄り部分が側面表示部２３とされている。
【００２１】
側面表示部２３の根元部分には、組立時に下端となる端縁から切欠部２４が形成され、切欠部２４の後縁は組立時に垂直となり、前縁は組立時に上端から下端へかけて前方へ傾く斜辺とされている。一方の側板２２における切欠部２４の後縁には、前継片２５が押罫を介して連設されている。
【００２２】
また、一方の側板２２の側面表示部２３には、前端に先端表示部２６が連設され、この先端表示部２６の部分は、根元と先端寄りにそれぞれリード罫が入れられ、その間に２本の押罫が入れられたものとされている。
【００２３】
他方の側板２２には、組立時に下端となる端辺にリード罫を介して三角形の底側片２７が連設され、底側片２７には、前側角から斜め後方へ延びるリード罫の谷折線２８を介して底継片２９が連設されている。
【００２４】
両方の側板２２の組立時における下端後部には、組立時に主部材１の係合突起１１ａが係合する係合穴２１ａの切込が形成されている。
【００２５】
このような主部材１と側部材２のブランクにおいて、正面表示部１４、側面表示部２３及び先端表示部２６の押罫間には、商品についての宣伝や価格が印刷されている。
【００２６】
上記ブランクの組み立てに際しては、図３に示すように、左右の側部材２において、それぞれ一対の側板２２同士を重ねて貼り合わせ、二重構造の側壁２１を形成し、先端表示部２６をリード罫と押罫に沿ってそれぞれ谷折り及び山折りし、その先端部分を側板２２の間に挟み込んで貼り合わせる。
【００２７】
そして、前継片２５を切欠部２４の後縁から内側へ折り曲げて前壁１２の側部表面に貼り付けると共に、底側片２７を側壁２１から内側へ折り曲げて、底継片２９を底壁１１の裏面に貼り付けることにより、主部材１と左右の側部材２とを一体化する。
【００２８】
このようなＰＯＰトレイは、図２に示すように、谷折線２８に沿った折り曲げに伴い、底壁１１の裏面側に側壁２１が折り曲げられて、底側片２７が底壁１１と側壁２１の間に挟まれると共に、底壁１１の表面側に前壁１２が重なった折畳状態とすることができるので、商品を梱包する外箱に同梱して、小売店に配送することができる。
【００２９】
そして、小売店の店頭で商品を陳列する際には、谷折線２８に沿った折り曲げを伸ばすように側壁２１を広げると、図３に示すように、底壁１１に対して側壁２１と前壁１２とが同時に立ち上がり、底壁１１を押し下げると、底壁１１が底側片２７で受け止められ、係合突起１１ａが係合穴２１ａに係合して、底壁１１が水平な状態で固定されると共に、左右の側壁２１が直立した状態で固定される。
【００３０】
その後、図１に示すように、前壁１２の上端から頂部１３を前方へ折り曲げ、正面表示部１４を左右方向の寸法が縮まるように撓ませつつ下方へ折り曲げると、正面表示部１４の側端部が側壁２１の切欠部２４に嵌まり込み、正面表示部１４の撓みの反発による復元に伴い、正面表示部１４の側端部と切欠部２４の前縁とが係合して、その係合が簡単には外れない状態となり、正面表示部１４が所定の角度に保持される。
【００３１】
また、側面表示部２３が正面表示部１４より前方へ突出して、先端表示部２６の押罫間の部分が正面に向いた状態となる。
【００３２】
このように、上記ＰＯＰトレイは、簡単な作業で組み立てることができるので、店頭で使用されずに廃棄されてしまう可能性が減少する。
【００３３】
そして、店頭での使用に際して、棚Ｓの前部に設けられたバーＢが切欠部２４に納まるように棚Ｓの上に置くと、ＰＯＰトレイの前後方向の移動がバーＢにより阻止され、底壁１１に商品を載せると、底壁１１に商品の荷重が作用するので、谷折線２８の折癖による底壁１１の浮き上がりが防止される。
【００３４】
このような陳列状態では、商品の整列状態が側壁２１により維持され、他の商品の割り込みも防止される。また、正面表示部１４が買い物客から見えやすい角度に確実に保持され、側面表示部２３が正面表示部１４より前方へ突出し、先端表示部２６が存在することも相俟って、安定した組立状態で高い訴求効果を得ることができる。
【００３５】
なお、上記実施形態では、主部材１と左右の側部材２とから成り、これらを接合して組み立てるものを例示したが、底壁１１を切り込んで底側片２７を形成し、底壁１１と底側片２７とが谷折線２８を介して直接繋がった構成とすることにより、１枚のブランクから成るものとすることができる。
【００３６】
また、底壁１１の左右に側壁２１を備えたものを例示したが、底壁１１の片側にのみ側壁２１を備えたものにおいても、底壁１１と側壁２１の関係について、同様の構成を適用することができる。
【符号の説明】
【００３７】
１  主部材
２  側部材
１１  底壁
１１ａ  係合突起
１２  前壁
１３  頂部
１４  正面表示部
２１  側壁
２１ａ  係合穴
２２  側板
２３  側面表示部
２４  切欠部
２５  前継片
２６  先端表示部
２７  底側片
２８  谷折線
２９  底継片
【図１】
2017189422.tif 000003
【図２】
2017189422.tif 000004
【図３】
2017189422.tif 000005
【図４】
2017189422.tif 000006
【図５】
2017189422.tif 000007